(57)【要約】【課題】画像の色調整を使用者に合わせて簡便に行うことが可能な画像処理装置、顕微鏡を提供する。【解決手段】使用者が所定の情報を入力するための入力部１４と、表示装置４に表示する際の画像の色調整を行う色調整部１５と、前記使用者によって入力された前記所定の情報に基づいて、表示装置４に表示される画像の色調整を行うように色調整部１５を制御する制御部１３と、を有することを特徴とする。【選択図】図１
2009169849.tif 000002
【特許請求の範囲】
【請求項１】
使用者が所定の情報を入力するための入力部と、
表示装置に表示する際の画像の色調整を行う色調整部と、
前記使用者によって入力された前記所定の情報に基づいて、前記表示装置に表示される画像の色調整を行うように前記色調整部を制御する制御部と、
を有することを特徴とする画像処理装置。
【請求項２】
前記制御部は、前記使用者に関わる条件に基づいて前記色調整部を制御することを特徴とする請求項１に記載の画像処理装置。
【請求項３】
前記画像の色調整に際して前記色調整部で用いられる色調整データを複数保持したデータ保持手段を有しており、
前記制御部は、複数の前記色調整データのうち前記使用者に関わる条件に基づく色調整データを前記所定の情報に基づいて判定することを特徴とする請求項１又は請求項２に記載の画像処理装置。
【請求項４】
前記画像の色調整に際して前記色調整部で用いられる微調整データを複数保持した微調整データ保持手段を有しており、
前記制御部は、複数の前記微調整データから前記使用者に関わる条件に基づく微調整データを判定し、
前記色調整部は、前記制御部で判定された前記色調整データと前記微調整データとを用いて前記画像の色調整を行うことを特徴とする請求項１から請求項３のいずれか１項に記載の画像処理装置。
【請求項５】
前記色調整部は、前記画像の色調整を異なる色調整方法によって行う複数の色調整手段からなり、
前記制御部は、前記複数の色調整手段のうち前記使用者に関わる条件に基づく色調整手段を前記所定の情報に基づいて判定することを特徴とする請求項１に記載の画像処理装置。
【請求項６】
前記画像の色調整に際して前記色調整部で用いられる色調整データを複数保持したデータ保持手段を有しており、
前記制御部は、複数の前記色調整データから前記使用者に関わる条件に基づく色調整データを判定し、
前記色調整部は、前記制御部で判定された前記色調整手段によって画像の色調整を行い、さらに前記制御部で判定された前記色調整データを用いて前記画像の色調整を行うことを特徴とする請求項５に記載の画像処理装置。
【請求項７】
前記画像とともに表示装置に表示されるメニューを作成するメニュー構成部と、
前記メニューを複数の言語で作成するために前記メニュー構成部で用いられる言語データを複数保持した言語データ保持手段とを有しており、
前記メニュー構成部は、使用者が前記所定の情報として入力した前記メニューの表示言語に対応する前記言語データを用いて前記メニューを作成することを特徴とする請求項１から請求項６のいずれか１項に記載の画像処理装置。
【請求項８】
試料の画像を撮影する顕微鏡本体と、
前記顕微鏡本体で撮影された前記試料の画像に色調整を施す請求項１から請求項７のいずれか１項に記載の画像処理装置と、
前記画像処理装置によって色調整が施された前記試料の画像を表示する表示装置とからなることを特徴とする顕微鏡。
【発明の詳細な説明】
【技術分野】
【０００１】
本発明は、画像処理装置、顕微鏡に関する。
【背景技術】
【０００２】
例えば、撮像装置で撮影した画像を表示装置に表示した場合、画像の見え方は人によって異なる。この原因としては、装置固有の特性や装置周辺の環境等の直接的な要因の他に、文化の違い等による画像の色味に対する嗜好や、人種等による色覚機能の差異等の間接的な要因が考えられる。
斯かる背景の下、異なる色の光を発する２つの発光体を備え、この発光体の輝度を使用者が調節することで、使用者毎に異なる画像の見え方を補正する画像の色調整技術が提案されている（例えば、特許文献１を参照。）。
【特許文献１】特開平９−２００５４６号公報
【発明の開示】
【発明が解決しようとする課題】
【０００３】
しかしながら、上述のような画像の色調整技術においては、前述のように使用者が自ら発光体の輝度を調節しなければならず、この作業がとても煩雑であった。
そこで本発明は上記問題点に鑑みてなされたものであり、画像の色調整を使用者に合わせて簡便に行うことが可能な画像処理装置、顕微鏡を提供することを目的とする。
【課題を解決するための手段】
【０００４】
上記課題を解決するために本発明は、
使用者が所定の情報を入力するための入力部と、
表示装置に表示する際の画像の色調整を行う色調整部と、
前記使用者によって入力された前記所定の情報に基づいて、前記表示装置に表示される画像の色調整を行うように前記色調整部を制御する制御部と、
を有することを特徴とする画像処理装置を提供する。
また、
試料の画像を撮影する顕微鏡本体と、
前記顕微鏡本体で撮影された前記試料の画像に色調整を施す本発明の画像処理装置と、
前記画像処理装置によって色調整が施された前記試料の画像を表示する表示装置とからなることを特徴とする顕微鏡を提供する。
【発明の効果】
【０００５】
本発明によれば、画像の色調整を使用者に合わせて簡便に行うことが可能な画像処理装置を提供することができる。
【発明を実施するための最良の形態】
【０００６】
以下、本発明の各実施形態に顕微鏡を添付図面に基づいて詳細に説明する。
（第１実施形態）
はじめに、本実施形態に係る顕微鏡の全体的な構成を説明する。
図１は、本発明の第１実施形態に係る顕微鏡の概略構成図である。
図１に示すように本実施形態に係る顕微鏡１は、顕微鏡本体２と、画像処理装置３と、表示装置４と、入力装置５とを備えている。
【０００７】
顕微鏡本体２は、下方から順に、試料６を載置して上下水平方向へ移動可能なステージ７と、倍率の異なる複数の対物レンズ８を切り替え可能に有するレボルバ９と、ステージ７上の試料６を落射照明するための光源１０と、照明された試料６を観察するための接眼観察部１１及び撮影するための撮像部１２とを備えている。
斯かる顕微鏡本体２において、光源１０からの照明光は、対物レンズ８を介してステージ７上の試料６に照射される。そして試料６からの観察光は、対物レンズ８を介して接眼観察部１１及び撮像部１２へ導かれる。これにより、顕微鏡１の使用者は接眼観察部１１で試料６を接眼観察することが可能となり、また撮像部１２では試料６の画像を撮影することが可能となる。なお、撮像部１２で撮影された試料６の画像は、画像処理装置３に入力されて後述する色調整が行われた後、表示装置４に表示される。
【０００８】
ここで、使用者が表示装置４に表示された試料６の画像を観察したとき、使用者が日本人である場合と日本人以外の欧米人等である場合とでは画像中の例えば白色について認識が異なる。具体的には、欧米人等は一般に色温度の高い画像を好み、赤味がかった暖色系の白色を白色として認識し、日本人は青白い寒色系の白色を白色として認識する傾向がある。このため本実施形態の画像処理装置３は、使用者が日本人であるか否かに関わらず画像の色味について共通の認識を得られるように、使用者に合わせて画像の色調整を簡便な手順で行うものである。
【０００９】
以下、本実施形態において最も特徴的な画像処理装置３について詳細に説明する。
図１に示すように画像処理装置３は、ＣＰＵ１３、指示入力部１４、色調整部１５、色調整データ領域１６、メニュー構成部１７、言語データ領域１８、及び画像バッファ１９を備えている。
画像処理装置３において指示入力部１４は、使用者がキーボードやマウス等の入力装置５を用いて入力した指示信号を受けてＣＰＵ１３へ伝達するものである。
ＣＰＵ１３は、色調整部１５及びメニュー構成部１７を制御するものである。
色調整部１５は、ＣＰＵ１３からの指示に基づき、顕微鏡本体２の撮像部１２で撮影された試料６の画像に対して色調整を行うものである。
【００１０】
色調整データ領域１６は、色調整に際して色調整部１５で用いられる色調整データ（例えば、色調整部１５に入力された試料６の画像データに乗算されるＲＧＢ各色の係数等）を保持するものである。本実施形態では、表示装置４に表示される画像中の白色点の色温度がデフォルトとして６５００Ｋとなるように色調整を行うための６５００Ｋデータと、使用者が日本人であると想定された場合に白色点の色温度が７５００Ｋとなるように色調整を行うための７５００Ｋデータとの２つの色温度データが保持されている。
【００１１】
メニュー構成部１７は、表示装置４に表示される後述の操作メニューを、使用者に指定された言語で作成するものである。
言語データ領域１８は、操作メニューの作成に際してメニュー構成部１７で用いられる、英語の操作メニューを作成するためのデフォルトの英語データと日本語の操作メニューを作成するための日本語データとを保持するものである。
画像バッファ１９は、色調整部１５で色調整された試料６の画像とメニュー構成部１７で作成された操作メニューとを一時的に保存するものである。
【００１２】
斯かる構成の画像処理装置３では、以下に述べる画像処理ルーチンが実行される。
図２は、本発明の第１実施形態の画像処理装置において実行される画像処理ルーチンを示すフローチャートである。
本画像処理ルーチンは、顕微鏡本体２及び画像処理装置３の電源の入力に伴って開始される。
ステップＳ１：ＣＰＵ１３は、メニュー構成部１７で作成する操作メニューの言語（メニュー構成言語）としてデフォルトの英語を設定し、この情報をメニュー構成部１７へ入力する。
ステップＳ２：ＣＰＵ１３は、画像の色調整に際して色調整部１５で用いられる色調整データとしてデフォルトの英語に対応した６５００Ｋデータを設定し、この情報を色調整部１５へ入力する。
【００１３】
ステップＳ３：メニュー構成部１７は、ステップＳ１又は後述のステップＳ７においてＣＰＵ１３で設定されたメニュー構成言語に対応する言語データを言語データ領域１８から読み出し、これに基づいて操作メニューを作成する。
ステップＳ４：色調整部１５は、ステップＳ２又は後述のステップＳ８においてＣＰＵ１３で設定された色調整データを色調整データ領域１６から読み出す。そして、顕微鏡本体２の撮像部１２で撮影された試料６の画像に対して、読み出した色調整データを用いて色調整を行う。
ステップＳ５：画像バッファ１９は、ステップＳ３においてメニュー構成部１７で作成された操作メニューと、ステップＳ４において色調整部１５で色調整された試料６の画像とを一時的に保存し、これらを重ね合わせて表示装置４へ出力する。
【００１４】
ステップＳ６：ＣＰＵ１３は、使用者が入力装置５を介してメニュー構成言語の変更を指示したか否かを判定する。変更が指示されている場合はステップＳ７へ進み、変更が指示されていない場合はステップＳ３へ戻る。
ステップＳ７：ＣＰＵ１３は、使用者によって指示された言語をメニュー構成言語に設定し、この情報をメニュー構成部１７へ入力する。
ステップＳ８：ＣＰＵ１３は、画像の色調整に際して色調整部１５で用いられる色調整データとして、使用者によって指示されたメニュー構成言語に対応する色温度データを設定し、この情報を色調整部１５へ入力した後、ステップＳ３へ戻る。
【００１５】
本実施形態の画像処理装置３は、以上に述べた画像処理ルーチンを実行することで、はじめに顕微鏡本体２及び画像処理装置３の電源が入力された際には、メニュー構成部１７でデフォルトの英語の操作メニューが作成され、色調整部１５では英語に対応した６５００Ｋデータを用いて試料６の画像に色調整が行われる。このため表示装置４では、英語の操作メニューと白色点の色温度が６５００Ｋに色調整された試料６の画像が重ねて表示されることとなり、日本人以外の欧米人等の使用者に好適な表示を実現することができる。
そして、使用者がメニュー構成言語をデフォルトの英語から日本語へ変更した際には、メニュー構成部１７において日本語の操作メニューが作成され、色調整部１５では日本語に対応した７５００Ｋデータを用いて試料６の画像に色調整が行われる。このため表示装置４では、日本語の操作メニューと白色点の色温度が７５００Ｋに色調整された試料６の画像が重ねて表示されることとなり、日本人の使用者に好適な表示を実現することができる。この電源入力時の操作メニューの言語は、出荷時の調整により適宜変更してもよい。
【００１６】
ここで、使用者がメニュー構成言語をデフォルトの英語から日本語へ変更する際の操作メニューの具体的な表示例を説明する。
図３は、本発明の第１実施形態に係る顕微鏡において、表示装置に表示される操作メニューの一例を示す図である。
顕微鏡本体２及び画像処理装置３の電源が入力されると、上述した画像処理ルーチンのステップＳ１及びステップＳ３に基づいて、表示装置４には図３（ａ）に示すようにデフォルトの英語で作成された操作メニュー（CAM MENU）が表示される。本実施形態では、操作メニューとして試料６の画像のGAIN（ゲイン）、Hue（色相）、Saturation（彩度）、及びBrightness（明度）を示す数値と「Setup」マークが表示される。なお、これと同時に表示装置４には、ステップＳ２及びステップＳ４に基づいて、白色点の色温度が６５００Ｋに色調整された試料６の画像が表示されることとなる。
【００１７】
この状態において、使用者が入力装置５を介して操作メニューの「Setup」マークを指示すれば、図３（ｂ）に示すように言語設定メニュー（Setup MENU）が表示される。なお、本実施形態では言語設定メニューとして、English（英語）及び日本語の選択肢と「Return」マークが表示される。
そして、さらに使用者が言語設定メニューの日本語を選択して「Return」マークを指示すれば、ステップＳ６、ステップＳ７、及びステップＳ３に基づいて、表示装置４には図３（ｃ）に示すように日本語で作成された操作メニューが表示される。なお、これと同時に表示装置４には、ステップＳ８及びステップＳ４に基づいて、白色点の色温度が７５００Ｋに色調整された試料６の画像が表示されることとなる。
【００１８】
以上より、本実施形態に係る顕微鏡１は、使用者が入力装置５を介してメニュー構成言語（日本語又は英語）を変更する又は選択することで、日本人に好適な表示（白色点の色温度が７５００Ｋに色調整された試料６の画像及び日本語の操作メニュー）と、日本人以外の欧米人等に好適な表示（白色点の色温度が６５００Ｋに色調整された試料６の画像及び英語の操作メニュー）とを簡単に切り替えることができる。このため使用者は、日本人であっても欧米人等であっても、表示装置４に表示された試料６の画像から色味について共通の認識を得ることが可能となる。
なお、本実施形態に係る顕微鏡１では、表示装置４に表示されている操作メニューのゲイン、色相、彩度、及び明度の数値を、使用者が入力装置５を介して変更することで、試料６の画像の色味を使用者の好みに応じて調整することも可能である。
【００１９】
（第２実施形態）
本実施形態及び以下の各実施形態に係る顕微鏡について、上記第１実施形態と同様の構成の部分には同じ符号を付してその説明を省略し、異なる構成の部分について詳細に説明する。
図４は、本発明の第２実施形態に係る顕微鏡に備えられた画像処理装置の構成を示す図である。
図４に示すように本実施形態の画像処理装置２０は、上記第１実施形態に係る画像処理装置３の構成に加えて、微調整データ領域２１をさらに備えている。
【００２０】
微調整データ領域２１は、色調整データ領域１６と同様に、色調整に際して色調整部１５で用いられる色調整データを保持するものである。本実施形態では、試料６の画像がより日本人の嗜好に合う色合いとなるように微調整を行うための微調整データと、試料６の画像がより日本人以外の欧米人等の嗜好に合う色合いとなるように微調整を行うための微調整データとが保持されている。
【００２１】
斯かる構成の下、本実施形態の画像処理装置２０において上記第１実施形態で述べた画像処理ルーチンが実行された際には、ステップＳ２ではＣＰＵ１３が、色調整部１５で用いられる色調整データとしてデフォルトの６５００Ｋデータ及び微調整データを設定し、この情報を色調整部１５へ入力する。
また、ステップＳ８ではＣＰＵ１３が、色調整部１５で用いられる色調整データとして、使用者によって指示されたメニュー構成言語に対応する色温度データ及び微調整データを設定し、この情報を色調整部１５へ入力する。
そしてさらに、ステップＳ４では色調整部１５が、ＣＰＵ１３で設定された色温度データ及び微調整データを、色調整データ領域１６及び微調整データ領域２１から読み出し、これらを用いて試料６の画像に色調整を行うこととなる。
【００２２】
以上より、本実施形態に係る顕微鏡は、上記第１実施形態と同様の効果を奏することが可能であり、上述した微調整によってより日本人の使用者、及び日本人以外の欧米人等の使用者の嗜好に適した色調整を試料６の画像に対して行うことができる。
なお、本実施形態では、微調整データ領域２１がデフォルトの微調整データとして試料６の画像に変化を及ぼさない色調整パラメータを保持する構成とすることで、デフォルトの場合（使用者が日本人以外であると想定された場合）には試料６の画像に対して微調整を行わない構成とすることもできる。
【００２３】
（第３実施形態）
図５は、本発明の第３実施形態に係る顕微鏡に備えられた画像処理装置の構成を示す図である。
図５に示すように本実施形態の画像処理装置３０は、上記第１実施形態の画像処理装置３における色調整部１５及び色調整データ領域１６の代わりに、態様の異なる色調整部３１を備えている。
この色調整部３１は、試料６の画像の色調整に際して、メニュー構成言語がデフォルトの英語のときに用いられる第１色調整部３１ａと、日本語のときに用いられる第２色調整部３１ｂとを、回路的に切り替え可能に備えている。なお、本実施形態において第１色調整部３１ａは、白色点の色温度が６５００Ｋに色調整を行う調整部である。また第２色調整部３１ｂは、白色点の色温度が６５００Ｋに色調整を行う回路と、白色点の色温度が６５００Ｋの状態から７０００Ｋの状態に変更させる回路を併せ持つ調整部である。
【００２４】
斯かる構成の下、本実施形態の画像処理装置３０において上記第１実施形態で述べた画像処理ルーチンが実行された際には、ステップＳ２ではＣＰＵ１３が、色調整部３１におけるデフォルトの第１色調整部３１ａを用いて試料６の画像に色調整を行うことを決定し、この情報を色調整部３１へ入力する。
また、ステップＳ８ではＣＰＵ１３が、第１色調整部３１ａと第２色調整部３１ｂのうち使用者が指示したメニュー構成言語に対応する色調整部を用いて試料６の画像に色調整を行うことを決定し、この情報を色調整部３１へ入力する。
そしてさらにステップＳ４では、ＣＰＵ１３で決定された第１色調整部３１ａ又は第２色調整部３１ｂが試料６の画像に対して色調整を行うこととなる。
以上の構成により、本実施形態に係る顕微鏡においても、上記第１実施形態と同様の効果を奏することが可能となる。
【００２５】
（第４実施形態）
図６は、本発明の第４実施形態に係る顕微鏡に備えられた画像処理装置の構成を示す図である。
図６に示すように本実施形態の画像処理装置４０は、上記第３実施形態の画像処理装置３０の構成に加えて、さらに上記第１実施形態と同様の色調整データ領域１６を備えている。
本実施形態において色調整部３１は、上記第３実施形態で述べた第１色調整部３１ａ及び第２色調整部３１ｂによる色調整に加えて、上記第１実施形態の色調整部１５と同様に色調整データ領域１６に保持されている色温度データを用いた色調整を試料６の画像に対して行うものである。
【００２６】
この構成の下、本実施形態の画像処理装置４０において上記第１実施形態で述べた画像処理ルーチンが実行された際には、ステップＳ２ではＣＰＵ１３が、デフォルトの第１色調整部３１ａを用いて試料６の画像に色調整を行うことを決定し、さらに該第１色調整部３１ａで用いられる色調整データとしてデフォルトの６５００Ｋデータを設定し、これらの情報を色調整部３１へ入力する。
また、ステップＳ８ではＣＰＵ１３が、第１色調整部３１ａと第２色調整部３１ｂのうち使用者に指示されたメニュー構成言語に対応する色調整部を用いて試料６の画像に色調整を行うことを決定し、さらに色調整部３１で用いられる色調整データとして当該メニュー構成言語に対応する色温度データを設定し、これらの情報を色調整部３１へ入力する。
【００２７】
そしてさらに、ステップＳ４では第１色調整部３１ａと第２色調整部３１ｂのうちＣＰＵ１３によって決定された色調整部が試料６の画像に対して色調整を行い、さらに当該色調整部３１はＣＰＵ１３で設定された色温度データを色調整データ領域１６から読み出しこれを用いて試料６の画像に色調整を行うこととなる。
以上の構成により、本実施形態に係る顕微鏡は、上記第３実施形態と同様の効果を奏することが可能であり、前述のように色温度データを用いることでより日本人の使用者、及び日本人以外の欧米人等の使用者の嗜好に適した色調整を試料６の画像に対して行うことができる。
【００２８】
以上、上記各実施形態によれば、画像の色調整を使用者に合わせて簡便に行うことが可能な画像処理装置とこれを備えた顕微鏡を実現することができる。
なお、上記各実施形態において、メニュー構成言語の選択肢は日本語とデフォルトの英語の２つであるが、これに限られず選択肢を３つ以上設け、各選択肢に対応する色調整を試料６の画像に対して行う構成とすることもできる。
また、上記各実施形態では、メニュー構成言語に基づいて試料６の画像に色調整を行っているが、これに限られず顕微鏡の使用地域や使用者の年齢等に基づいて試料６の画像に色調整を行う構成することもできる。具体的には、グリニッジ標準時と現在時の差から顕微鏡の使用地域を推定し、推定した使用地域に適切な色調整を試料６の画像に行う構成や、使用者の年齢に応じて試料６の画像の彩度を調整する構成（高齢者に対しては画像の彩度を高くする等）としてもよい。
【００２９】
また、上記各実施形態において表示装置４は、画像処理装置と別体に設けられているが、これに限られず画像処理装置に内蔵される構成としてもよい。
また、上記各実施形態では画像処理装置を顕微鏡本体２に組み合わせた例を示しているが、これに限られず画像処理装置は顕微鏡本体２以外の撮像装置に対して組み合わせたり、或いは内蔵して適用することもできる。
【図面の簡単な説明】
【００３０】
【図１】本発明の第１実施形態に係る顕微鏡の概略構成図である。
【図２】本発明の第１実施形態の画像処理装置において実行される画像処理ルーチンを示すフローチャートである。
【図３】本発明の第１実施形態に係る顕微鏡において、表示装置に表示される操作メニューの一例を示す図である。
【図４】本発明の第２実施形態に係る顕微鏡に備えられた画像処理装置の構成を示す図である。
【図５】本発明の第３実施形態に係る顕微鏡に備えられた画像処理装置の構成を示す図である。
【図６】本発明の第４実施形態に係る顕微鏡に備えられた画像処理装置の構成を示す図である。
【符号の説明】
【００３１】
１      顕微鏡
２      顕微鏡本体
３,２０，３０，４０    画像処理装置
４      表示装置
５      入力装置
１２    撮像部
１３    ＣＰＵ
１５，３１    色調整部
１６    色調整データ領域
１７    メニュー構成部
１８    言語データ領域
１９    画像バッファ
【図１】
2009169849.tif 000003
【図２】
2009169849.tif 000004
【図３】
2009169849.tif 000005
【図４】
2009169849.tif 000006
【図５】
2009169849.tif 000007
【図６】
2009169849.tif 000008